(57)【要約】【課題】  ＵＩＭカードに記憶されたＰＩＮコードに基づいてユーザ認証を行う端末装置において、ユーザ認証のためのＰＩＮコードを、頭で記憶しておく負担を軽減する。【解決手段】  ユーザが頭で記憶しておくべきＰＩＮコードを、ＵＩＭカード２とは物理的に別体のメモリとなるメモリカード３に登録しておき、端末装置の使用時に、このメモリカード３を装着する。本体制御部１１は、端末装置の使用時となると、メモリカード３に登録されているＰＩＮコードを読み出し、これを、ＵＩＭカード２に記憶されているＰＩＮコードと照合する。そして、両者が一致した場合に、ＵＩＭカード２に記憶されている情報の読み出しや、ＵＩＭカード２に対する情報の書き込みを許可する。ユーザ認証に必要なＰＩＮコードは、メモリカード３に登録しておけばよいため、ユーザが頭でＰＩＮコードを記憶しておく負担を軽減することができる。【選択図】  図１
2005311520.tif 000002
【特許請求の範囲】
【請求項１】
秘密情報及び識別情報が記憶され、装置本体に対して着脱自在とされた第１の記憶手段と、
上記第１の記憶手段に記憶されている識別情報と照合される被識別情報が登録され、上記第１の記憶手段とは物理的に別体とされ、装置本体に対して着脱自在とされた第２の記憶手段と、
上記第１の記憶手段に記憶されている上記秘密情報の読み出し時、及び／又は、書き込み時において、当該第１の記憶手段に記憶されている上記識別情報、及び上記第２の記憶手段に登録されている上記被識別情報を、それぞれ上記各記憶手段から読み出して照合する照合手段と、
上記照合手段で、上記各記憶手段から読み出された上記識別情報及び上記被識別情報が一致した旨の照合結果が得られた場合、上記第１の記憶手段に記憶されている上記秘密情報の読み出し、及び／又は、上記第１の記憶手段に対して、入力された秘密情報の書き込みを許可する許可手段と、
上記許可手段により、上記秘密情報の読み出し、及び／又は、書き込みが許可された場合に、上記第１の記憶手段に記憶されている上記秘密情報の読み出し制御、及び／又は、入力された秘密情報の上記第１の記憶手段に対する書き込み制御を行う制御手段と
を有する携帯端末装置。
【請求項２】
請求項１に記載の携帯端末装置であって、
上記第１の記憶手段には、上記秘密情報及び上記識別情報と共に暗号化鍵が記憶されており、
上記制御手段は、上記第２の記憶手段に対して上記被識別情報を登録する際に、上記第１の記憶手段に記憶されている上記暗号化鍵に基づいて上記被識別情報を暗号化して上記第２の記憶手段に登録し、上記第１の記憶手段に記憶されている上記秘密情報の読み出し時、及び／又は、書き込み時において、上記第２の記憶手段に登録されている上記暗号化した被識別情報を読み出し、これを上記第１の記憶手段に記憶されている上記暗号化鍵に基づいて復号化し、
上記照合手段は、上記制御手段により復号化された上記被識別情報と、上記第１の記憶手段に記憶されている上記識別情報とを照合すること
を特徴とする携帯端末装置。
【請求項３】
請求項２に記載の携帯端末装置であって、
上記被識別情報が登録されている上記第２の記憶手段が装置本体に装着されているか否かを検出する装着検出手段を有し、
上記制御手段は、電源の投入時において、上記装着検出手段から上記第２の記憶手段が装置本体に装着されていることを示す検出出力が供給された場合、全ワード数分のワードの入力を求める入力画面を上記表示手段に表示制御し、上記装着検出手段から上記第２の記憶手段が装置本体に装着されていないことを示す検出出力が供給された場合、該装置本体に対する上記第２の記憶手段の装着を求める画面を上記表示手段に表示制御し、該第２の記憶手段が装置本体に装着された際に、該第２の記憶手段に登録されている上記暗号化した被識別情報を読み出し、これを上記第１の記憶手段に記憶されている上記暗号化鍵に基づいて復号化し、この復号化した被識別情報の全ワードのうち、所定のワードを削除すると共に、この削除したワードをユーザに入力させるための入力画面を表示手段に表示制御し、
上記照合手段は、上記入力画面を介して入力されたワードで、上記制御手段により削除されたワードを補完して、上記第１の記憶手段に記憶されている上記識別情報と照合すること
を特徴とする携帯端末装置。
【請求項４】
請求項１に記載の携帯端末装置であって、
上記第２の記憶手段に登録される上記被識別情報の全体のワード数は、上記第１の記憶手段に記憶されている上記識別情報の全体のワード数よりも少ないワード数であり、
上記制御手段は、上記第１の記憶手段に記憶されている上記秘密情報の読み出し時、及び／又は、書き込み時に、上記第１の記憶手段に記憶されている上記識別情報のワード数に対する、上記第２の記憶手段に登録されている上記被識別情報のワード数の不足分を補完するワードの入力画面を表示手段に表示制御し、
上記照合手段は、上記第２の記憶手段に登録されている上記被識別情報の不足分のワード数を、ユーザが操作手段を操作することで、上記入力画面を介して入力されたワードで補完することで、上記第１の記憶手段に記憶されている上記識別情報のワード数と同じワード数としたうえで上記照合を行うこと
を特徴とする携帯端末装置。
【請求項５】
請求項４に記載の携帯端末装置であって、
上記被識別情報が登録されている上記第２の記憶手段が装置本体に装着されているか否かを検出する装着検出手段を有し、
上記制御手段は、電源の投入時において、上記装着検出手段から上記第２の記憶手段が装置本体に装着されていることを示す検出出力が供給された場合、全ワード数分のワードの入力を求める入力画面を上記表示手段に表示制御し、上記装着検出手段から上記第２の記憶手段が装置本体に装着されていないことを示す検出出力が供給された場合、該装置本体に対する上記第２の記憶手段の装着を求める画面を上記表示手段に表示制御し、該第２の記憶手段が装置本体に装着された際に、上記第２の記憶手段に登録されている上記被識別情報のワード数の不足分を補完するワードの入力画面を上記表示手段に表示制御すること
を特徴とする携帯端末装置。
【請求項６】
請求項３又は請求項５に記載の携帯端末装置であって、
上記制御手段は、電源のオフ操作がなされた際に、上記装着検出手段を介して上記第２の記憶手段が装置本体に装着されているか否かを検出し、該第２の記憶手段が装置本体に装着されていた場合、警告手段を介して、ユーザに対して装置本体から第２の記憶手段の取り外しを示唆する警告を発生制御すること
を特徴とする携帯端末装置。
【発明の詳細な説明】
【技術分野】
【０００１】
本発明は、ユーザ認証を行う携帯端末装置において、ユーザが認証コードを頭に記憶しておくことを不要、或いはユーザが認証コードを頭に記憶しておく負担を軽減した携帯端末装置に関する。
【背景技術】
【０００２】
従来の携帯電話機は、電話番号やユーザ識別情報等の通話契約情報の他、電話帳，アドレス帳，スケジュール帳等の個人情報を携帯電話機本体内に設けられたメモリに記録していたのであるが、今日においては、このような通話契約情報や個人情報を、ＵＩＭカード（UIM：User Identity Module）或いはＳＩＭカード（SIM：Subscriber Identify Module）と呼ばれる着脱自在の外部記憶装置に記憶する携帯電話機が知られている。なお、以下、この外部記憶装置は、ＵＩＭカードであることとして説明を進める。
【０００３】
このＵＩＭカードは、各個人専用のメモリとなるため、当該ＵＩＭカードを付け替えるだけで、物理的に同一の携帯電話機を複数のユーザで使用可能とすることができる。また、機種の変更を行う場合でも、新たな機種の携帯電話機に対して、このＵＩＭカードを装着するだけで、電話帳やアドレス帳の再入力等の面倒な作業を行うことなく、従前の携帯電話機で用いていた情報をそのまま、この新たな機種の携帯電話機で用いることを可能とすることができる。
【０００４】
ここで、このようなＵＩＭカードで通話契約情報や個人情報を管理する携帯電話機においては、当該ＵＩＭカードに記憶されているデータが第三者により不正に読み出され、或いは改竄される不都合を防止するために、ＵＩＭカードに記憶されているデータの読み出し時及び書き込み時にユーザ認証を行うようになっている。
【０００５】
図１０に、この携帯電話機のユーザ認証時における認証シーケンスを示す。まず、携帯電話機本体の操作部が操作されることで、例えばスケジュール帳の読み出し要求や電話番号等の書き込み要求等の、ＵＩＭカードに記憶されている情報の読み出し／書き込み要求がなされると、携帯電話機本体の制御部（本体制御部）が、この読み出し／書き込み要求信号を形成し、これを、ＵＩＭインターフェイス（ＵＩＭ Ｉ／Ｆ）を介して当該携帯電話機に装着されているＵＩＭカードの制御部（カード制御部）に転送する。
【０００６】
カード制御部は、この読み出し／書き込み要求信号を受信すると、ＰＩＮコード（PIN：Personal Identity Number＝個人識別番号）の入力要求信号を形成し、これを上記ＵＩＭ Ｉ／Ｆを介して本体制御部に送信する。
【０００７】
本体制御部は、この入力要求信号をトリガとして、当該携帯電話機の表示部にＰＩＮコードの入力画面を表示制御する。これにより、ユーザは、操作部を操作して予めＵＩＭカードに登録されているＰＩＮコードの入力を行うこととなる。本体制御部は、ＰＩＮコードが入力されると、このＰＩＮコード（＝キー入力結果）をＵＩＭ Ｉ／Ｆを介してカード制御部に送信する。
【０００８】
カード制御部は、この受信したＰＩＮコードと、当該カード内部のメモリに予め登録されている正規のＰＩＮコードとを照合し、両者が一致した場合は、ユーザを認証することができたため、読み出し／書き込み許可信号を形成し、これをＵＩＭ Ｉ／Ｆを介して本体制御部に送信する。これにより、ユーザは、ＵＩＭカードに対する読み出し或いは書き込みが可能となる。
【０００９】
これに対して、カード制御部は、上記受信したＰＩＮコードと、当該カード内部のメモリに予め登録されている正規のＰＩＮコードとを照合した結果、両者が不一致だった場合、ユーザを認証することができないため、読み出し／書き込み拒否信号を形成し、これをＵＩＭ Ｉ／Ｆを介して本体制御部に送信する。これにより、ＵＩＭカードに対する読み出し或いは書き込みが禁止されることとなり、ＵＩＭカードに記憶されている通話契約情報や個人情報に対する不正アクセスや改竄を防止することができる。
【００１０】
【特許文献１】特開２００２−９１７７０号公報
【発明の開示】
【発明が解決しようとする課題】
【００１１】
しかし、従来のＵＩＭカード対応の携帯電話機は、ユーザがＰＩＮコードを自分の頭で記憶しておく必要があったため、ＰＩＮコードを忘却した場合、ＵＩＭカード側で認証がなされず、携帯電話機が使用できなくなる問題がある。
【００１２】
また、ユーザが操作部を介してＰＩＮコードの入力操作を行うようになっている。このため、ＰＩＮコードの入力行為を第三者に盗み見された場合、ＰＩＮコードが第三者により不正に知得されるおそれがある。また、入力したＰＩＮコードを盗み見されないまでも、ＰＩＮコードの入力時におけるユーザの指の動きや操作箇所により、ＰＩＮコードを推測することは容易である。そして、第三者によりＰＩＮコードが盗み見され或いは推測されると、ＵＩＭカードに記憶されている通話契約情報や個人情報が不正に読み出され、或いは改竄される危険度が高くなる。
【００１３】
本発明は、上述の課題に鑑みてなされたものであり、ユーザが自分の頭でＰＩＮコードを記憶しておくことを不要或いは軽減することができると共に、ＰＩＮコードの入力操作を省略或いは軽減して、第三者によるＰＩＮコードの盗み見や推測を防止可能な携帯端末装置の提供を目的とする。
【課題を解決するための手段】
【００１４】
本発明は、上述の課題を解決するための手段として、ユーザの代わりに被識別情報を記憶しておく、装置本体に対して着脱自在とされた第２の記憶手段を用いる。
【００１５】
具体的には、照合手段は、第１の記憶手段に記憶されている秘密情報の読み出し時、及び／又は、書き込み時となると、当該第１の記憶手段に記憶されている識別情報、及び上記第２の記憶手段に登録されている上記被識別情報をそれぞれ上記各記憶手段から読み出す。
【００１６】
許可手段は、上記照合手段で、上記各記憶手段から読み出された上記識別情報及び上記被識別情報が一致した旨の照合結果が得られた場合、上記第１の記憶手段に記憶されている上記秘密情報の読み出し、及び／又は、上記第１の記憶手段に対して、入力された秘密情報の書き込みを許可する。
【００１７】
そして、制御手段は、上記許可手段により、上記秘密情報の読み出し、及び／又は、書き込みが許可された場合にのみ、上記第１の記憶手段に記憶されている上記秘密情報の読み出し制御、及び／又は、入力された秘密情報の上記第１の記憶手段に対する書き込み制御を行う。
【発明の効果】
【００１８】
本発明は、被識別情報の全部を第２の記憶手段に記憶させておくことで、ユーザが自分の頭で被識別情報を記憶しておくことを不要とすることができる。或いは、被識別情報の一部を第２の記憶手段に記憶させておくことで、ユーザが自分の頭で被識別情報を記憶しておく負担を軽減することができる。
【００１９】
また、被識別情報を第２の記憶手段に記憶させておくことで、ユーザによる被識別情報の入力操作を不要とすることができる。このため、第三者による被識別情報の盗み見や推測を防止することができ、第１の記憶媒体に記憶されている秘密情報に対する不正な読み出しや改竄を防止することができる。
【発明を実施するための最良の形態】
【００２０】
本発明は、ユーザ認証を行う携帯電話機に適用することができる。
【００２１】
［第１の実施の形態］
〔全体構成〕
まず、図１に本発明の第１の実施の形態となる携帯電話機の概略的なブロック図を示し、図２に、この第１の実施の形態の携帯電話機の外観の斜視図を示す。この図１及び図２からわかるように、当該第１の実施の形態の携帯電話機は、携帯電話機本体１と、この携帯電話機本体１に対して着脱自在とされた半導体メモリであるＵＩＭカード２（UIM：User Identity Module）と、同様に携帯電話機本体１に対して着脱自在とされた半導体メモリであるメモリカード３とを有している。
【００２２】
携帯電話機本体１は、ＧＳＭ方式（GSM：Global System for Mobile Communications）、Ｗ−ＣＤＭＡ方式（W-CDMA：Wideband Code Division Multiple Access）、ＰＤＣ方式（PDC：Personal Digital Cellular）等の無線通信方式に基づいて基地局との間でデータの送受信を行うアンテナ４と、このアンテナ４を介して上記データの送受信を行う送受信制御部５と、受話者の声等の音声を集音するマイクロホン部２１及び送話者の声等の音声を発音するスピーカ部２２からなる音声入出力部６とを有している。
【００２３】
また、この携帯電話機本体１は、電話番号や文字等の入力操作を行うための操作部２３及び文字や画像等が表示される表示部２４とからなるユーザインタフェース部７と、通信アプリケーションプログラム等の各種アプリケーションプログラム等が記憶された内部メモリ８と、ＵＩＭカード２が装着されるＵＩＭカードインタフェース９（ＵＩＭカードＩ／Ｆ）と、メモリカード３が装着されるメモリカードインタフェース１０（メモリカードＩ／Ｆ）と、当該携帯電話機全体の動作を制御する本体制御部１１とを有している。
【００２４】
〔ＵＩＭカードの構成〕
ＵＩＭカード２は、図３に示すように携帯電話機本体１のＵＩＭ Ｉ／Ｆ９との間でデータの送受信を行う入出力部２７と、このＵＩＭカード２の所有者となるユーザに対して固有に割り当てられた識別番号であるＰＩＮコード（PIN：Personal Identity Number）や、このＰＩＮコードの認証プログラム、及び携帯電話機本体１との間のコミュニケーションプログラムの他、電話番号やユーザ識別情報等の通話契約情報、及び電話帳，アドレス帳，スケジュール帳等の個人情報等が記憶されたＵＩＭ記憶部２８とを有している。
【００２５】
また、このＵＩＭカード２は、このＵＩＭ記憶部２８に記憶されているコミュニケーションプログラムに基づく携帯電話機本体１との間の通信制御や、ＰＩＮコードの認証プログラムに基づくユーザ認証制御の他、当該ＵＩＭカード２全体の動作を制御するＵＩＭ制御部２９を有している。
【００２６】
このように、上記ＵＩＭカード２は、制御ＩＣチップ（＝ＵＩＭ制御部２９）を有しており、このＵＩＭカード２自体が、言わばマイクロコンピュータ装置となっている。
【００２７】
〔メモリカードの構成〕
このＵＩＭカード２に対してメモリカード３は、制御ＩＣチップは有さない、通常の半導体メモリとなっており、その記憶領域には、ユーザが記憶すべきＰＩＮコードが記憶されている。以下に説明するが、このメモリカード３に記憶されているＰＩＮコードは、ＵＩＭカード２に記憶されているＰＩＮコードと照合される。
【００２８】
すなわち、ＵＩＭカード２に記憶されているＰＩＮコードが、そのＵＩＭカード２のユーザの正規のＰＩＮコードであり、メモリカード３に記憶されているＰＩＮコードは、このＵＩＭカード２の正規のＰＩＮコードと比較されるべきＰＩＮコードとなっている。なお、メモリカード３に対しては、ユーザが予め、上記ＵＩＭカード２に記憶されているＰＩＮコードと同じＰＩＮコードを記憶させておくこととなる。
【００２９】
〔認証動作の概要〕
まず、この携帯電話機は、通話やスケジュール帳への入力、或いは携帯メールの送信等で当該携帯電話機を「使用する際」に、上記メモリカード３を携帯電話機本体１に装着する。換言すれば、携帯電話機のメイン電源がオフされている場合は、携帯電話機本体１とメモリカード３とを別々に携帯し、当該携帯電話機を使用する際に、メイン電源を投入した後にメモリカード３を携帯電話機本体１に装着する。
【００３０】
そして、例えばスケジュール帳の読み出し要求や電話番号の書き込み要求等の、ＵＩＭカード２に記憶されている情報の読み出し／書き込み要求がなされた際に、ＵＩＭカード２側で、上記メモリカード３に記憶されているＰＩＮコードと、当該ＵＩＭカード２に記憶されている正規のＰＩＮコードとの照合がなされ、この照合により正当なユーザであることが認証された場合に、ＵＩＭカード２に記憶されている情報の読み出し／書き込みが可能となる（＝当該携帯電話機の使用が可能となる。）。
【００３１】
〔認証シーケンス〕
図４に、当該実施の形態の携帯電話機におけるＰＩＮコードの認証シーケンスを示す。この図４は、ＵＩＭ Ｉ／Ｆ（９），本体制御部（１１）及びメモリカードＩ／Ｆ（１０）の動作が携帯電話機本体１の動作となっており、ＵＩＭ制御部（２９）の動作が、携帯電話機本体１に装着されたＵＩＭカード２の動作、メモリカード（３）の動作が、携帯電話機本体１に装着されたメモリカード３の動作となっている。
【００３２】
この図４において、ユーザから、例えばスケジュール帳の読み出し要求や電話番号の書き込み要求等の、ＵＩＭカード２に記憶されている情報の読み出し／書き込み要求がなされると、図１に示す携帯電話機本体１の本体制御部１１は読み出し／書き込み要求信号を形成し、これをＵＩＭカードＩ／Ｆ９を介して、図３に示すＵＩＭカード２のＵＩＭ制御部２９に転送する。
【００３３】
ＵＩＭ制御部２９は、この読み出し／書き込み要求信号を受信すると、図４に示すようにＰＩＮコードの入力要求信号を形成し、これをＵＩＭカードＩ／Ｆ９を介して本体制御部１１に送信する。
【００３４】
本体制御部１１は、この入力要求信号を受信すると、メモリカード３に記憶されているＰＩＮコードを読み出し制御し、このメモリカード３から読み出したＰＩＮコードをＵＩＭカードＩ／Ｆ９を介してＵＩＭカード２のＵＩＭ制御部２９に送信する。
【００３５】
ＵＩＭ制御部２９は、メモリカード３から読み出されたＰＩＮコードを受信すると、この受信したＰＩＮコードと、図３に示すＵＩＭ記憶部２８に記憶されている正規のＰＩＮコードとを照合する。そして、両者が一致した場合は、ユーザを認証することができたため、読み出し或いは書き込みを許可する読み出し／書き込み許可信号を形成し、これをＵＩＭカードＩ／Ｆ９を介して本体制御部１１に送信する。これにより、ユーザは、ＵＩＭカード２に対する情報の読み出しや書き込みが実行可能となる。
【００３６】
これに対して、上記受信したＰＩＮコードと、ＵＩＭ記憶部２８に記憶されている正規のＰＩＮコードとを照合した結果、両者が不一致だった場合、ユーザを認証することができないため、本体制御部１１は、ＵＩＭカード２に対する読み出し或いは書き込みを拒否する読み出し／書き込み拒否信号を形成し、これをＵＩＭカードＩ／Ｆ９を介して本体制御部１１に送信する。これにより、ＵＩＭカード２に対する情報の読み出しや書き込みが禁止されることとなり、ＵＩＭカード２に記憶されている通話契約情報や個人情報に対する不正アクセスや改竄が防止されることとなる。
【００３７】
〔第１の実施の形態の効果〕
以上の説明から明らかなように、この第１の実施の形態の携帯電話機は、メモリカード３に対してＰＩＮコードを登録しておき、当該携帯電話機を使用する際に、このメモリカード３に登録されているＰＩＮコードと、ＵＩＭカード２に記憶されている正規のＰＩＮコードとを照合し、両者が一致した場合のみ、ＵＩＭカード２に対する情報の書き込み、及び（又は）、ＵＩＭカード２に記憶されている情報の読み出しを許可する。
【００３８】
これにより、ユーザが入力すべきＰＩＮコードは、メモリカード３に記憶されているＰＩＮコードが読み出されて自動的に入力されるため、ユーザがＰＩＮコードを頭で憶えておく負担を軽減することができる。
【００３９】
また、メモリカード３を携帯電話機本体１に装着するだけでユーザ認証が自動的に行われることとなるため、ユーザが手動で行うＰＩＮコードの面倒な入力操作を省略することができる。
【００４０】
そして、ＰＩＮコードの入力操作を行うことが無いため、この入力操作時に第三者によりＰＩＮコードが盗み見され、或いは推測される不都合を防止することができ、ＵＩＭカード２に記憶されている秘密情報（通話契約情報や個人情報等）に対する不正な読み出しや改竄を防止することができる。
【００４１】
［第２の実施の形態］
上述の第１の実施の形態の携帯電話機は、例えばＰＩＮコードが「１２３４５６７８」等の８桁（８ワード）であった場合、この８ワード全てがメモリカード３に登録されているものであった。これに対して、以下に説明する本発明の第２の実施の形態となる携帯電話機は、ＰＩＮコードの全８ワードから所定数のワードを削除してメモリカード３に登録し、当該携帯電話機を使用する際に、この削除されたワードを手入力操作で補完するようにしたものである。
【００４２】
なお、この第２の実施の形態の携帯電話機は、この点のみ上述の第１の実施の形態の携帯電話機と異なるため、以下、この差異の説明のみ行い、重複説明は省略する。
【００４３】
〔第２の実施の形態の構成〕
すなわち、ＵＩＭカード２に記憶されている認証プログラムが、全８ワードのＰＩＮコードを用いて認証を行うものであった場合、ＵＩＭカード２には、例えば「１２３４５６７８」の全８ワードのＰＩＮコードが、正規のＰＩＮコードとして記憶される。
【００４４】
これに対し、メモリカード３には、上記８ワードのうち、下２ワードが削除された「１２３４５６」等の６ワードがメモリカード３に登録されている（＝全ワード数よりも少ないワード数のワードがメモリカード３に登録されている。）。
【００４５】
〔第２の実施の形態の認証動作〕
図５のフローチャートに、この第２の実施の形態の携帯電話機の認証動作の流れを示す。この図５のフローチャートは、当該携帯電話機のメイン電源が投入されることでスタートとなる。
【００４６】
まず、ステップＳ１では、メイン電源が投入されたため、携帯電話機本体１の本体制御部１１が、メモリカードＩ／Ｆ１０と通信することで、当該携帯電話機本体１にメモリカード３が装着されているか否かを判別する。
【００４７】
上述のように当該携帯電話機は、携帯電話機のメイン電源がオフされている場合は、携帯電話機本体１とメモリカード３とを別々に携帯し、当該携帯電話機を使用する際に、メイン電源を投入した後にメモリカード３を携帯電話機本体１に装着してユーザ認証を行って該携帯電話機を使用するようになっている。
【００４８】
このため、メイン電源が投入された際にメモリカード３が、既に装着済みであるということは、現在、第三者により当該携帯電話機が操作されている可能性がある。このため、メイン電源の投入時にメモリカード３が携帯電話機本体１に装着されていた場合には、本体制御部１１は、ステップＳ１１において、メモリカード３に登録されているＰＩＮコードの読み込みは行わず、表示部２４に対して全８ワードのＰＩＮコードの入力画面を表示制御することで、ユーザに対して全８ワードのＰＩＮコードの入力を促す。これにより、ユーザは、操作部２３を操作して全８ワードのＰＩＮコードを全て手入力することとなる。
【００４９】
次に、本体制御部１１は、ステップＳ１２において、この全８ワードのＰＩＮコードの入力が所定時間内に行われたか否かを判別する。所定時間内に全８ワードのＰＩＮコードが入力された場合、本体制御部１１は、この入力されたＰＩＮコードと、ＵＩＭカード２に記憶されている正規のＰＩＮコードとの照合を実行させるべく、この入力された全８ワードのＰＩＮコードをＵＩＭカード２のＵＩＭ制御部２９に送信する。これにより、ＵＩＭ制御部２９により、後に説明するステップＳ５において照合処理が行われることとなる。
【００５０】
これに対して、所定時間内に全８ワードのＰＩＮコードの入力が行われない場合、現在、当該携帯電話機を操作しているユーザの正当性に疑いが持たれる。このため、本体制御部１１は、ステップＳ１３に処理を移行し、表示部２４を介してエラー表示を行い、当該認証処理を終了する。これにより、全８ワードのＰＩＮコードの入力を行うことができないユーザにより、当該携帯電話機が不正に使用される不都合を防止することができる。
【００５１】
一方、上記ステップＳ１において、メイン電源が投入された際に、本体制御部１１が、当該携帯電話機本体１にメモリカード３が装着されていないと判別した場合、本体制御部１１は、ステップＳ２において、ユーザに対してメモリカード３の装着を促すメッセージを表示部２４に表示制御する。
【００５２】
このメッセージにより、ユーザは、携帯電話機本体１に対してメモリカード３を装着することとなる。本体制御部１１は、ステップＳ３において、携帯電話機本体１に対するメモリカード３の装着待ち状態となり、メモリカード３の装着を検出したタイミングで処理をステップＳ４に移行する。
【００５３】
ステップＳ４では、本体制御部１１が、メモリカード３に記憶されているＰＩＮコードの不足ワード分を補完するワードの入力画面を表示部２４に表示制御する。前述の例に従って説明すると、メモリカード３には、「１２３４５６７８」の全８ワードのうち、「１２３４５６」の計６ワードが記憶されており、正規のＰＩＮコードのワード数に対して２ワード不足する状態となっている。このため、ユーザは、このワードの入力画面が表示制御された際に、上記不足するワードを補完するワードである「７８」の２ワードを手動で入力する。
【００５４】
本体制御部１１は、メモリカード３に登録されている６ワード分のＰＩＮコード片を読み出し、この６ワード分のＰＩＮコード片に対してユーザにより入力された２ワード分のＰＩＮコード片を付加することで、ＵＩＭカード２に記憶されているＰＩＮコードと同じワード数のＰＩＮコードを形成し、これをＵＩＭカード２のＵＩＭ制御部２９に送信する。
【００５５】
次に、ステップＳ５では、ＵＩＭカード２のＵＩＭ制御部２９が、メイン電源の投入時にメモリカード３が装着されていた場合にユーザから入力された全８ワードのＰＩＮコードと（ステップＳ１２参照）、ＵＩＭカード２記憶部２８に記憶されている正規のＰＩＮコードとを照合し、ステップＳ６において、両者が一致したか否かを判別する。
【００５６】
或いは、ステップＳ５では、ＵＩＭカード２のＵＩＭ制御部２９が、メモリカード３に登録されている６ワード分のＰＩＮコードを、ユーザから入力された２ワード分のＰＩＮコードで補完した全８ワード分のＰＩＮコードと（ステップＳ４参照）、ＵＩＭカード２記憶部２８に記憶されている正規のＰＩＮコードとを照合し、ステップＳ６において、両者が一致したか否かを判別する。
【００５７】
上記ステップＳ６において、両者が一致しないということは、現在、正当なユーザ以外の第三者により当該携帯電話機が操作されている可能性が高いため、ＵＩＭ制御部２９は、ユーザ認証が失敗したことを示す情報を本体制御部１１に送信する。本体制御部１１は、このユーザ認証が失敗したことを示す情報を受信すると、ステップＳ１３において、表示部２４にエラー表示を行い当該図５のフローチャートに示すユーザ認証処理を終了する。これにより、第三者による当該携帯電話機の不正使用を防止することができる。
【００５８】
これに対して、上記ステップＳ６で両者の一致を検出した場合、ＵＩＭ制御部２９は、ユーザ認証が成功したことを示す情報を本体制御部１１に送信する。これにより、ユーザは、ＵＩＭカード２に記憶されている通話契約情報や個人情報にアクセスすることが可能となり、本体制御部１１は、ステップＳ７において、ユーザの操作に応じて、このＵＩＭカード２から情報の読み出し制御を行い、或いはＵＩＭカード２に対して情報の書き込み制御を行うこととなる。
【００５９】
〔警告動作〕
ここで、当該実施の形態の携帯電話機は、前述のようにメイン電源がオフされているときには、携帯電話機本体１とメモリカード３とを別々に携帯するようになっている。このため、本体制御部１１は、メイン電源が投入された時点からメイン電源のオフ操作の有無を監視している（ステップＳ８）。
【００６０】
本体制御部１１は、メイン電源のオフ操作を検出すると、ステップＳ９において、メモリカード３が装着されているか否かを判別する。そして、メイン電源がオフ操作されたにもかかわらずメモリカード３が装着されている場合、本体制御部１１は、ステップＳ１０において、例えば警告用のＬＥＤの点滅駆動、警告用の音声の発音制御、或いは表示部２４に対する警告メッセージの表示制御等の、ユーザに対してメモリカード３の取り外しを示唆する警告を行う。
【００６１】
この警告を受けたユーザは、メモリカード３を携帯電話機本体１から取り外すこととなる。本体制御部１１は、メモリカード３が携帯電話機本体１から取り外されたことを検出した際に、メイン電源をオフ制御して当該図５のフローチャートに示すユーザ認証処理を終了する。
【００６２】
なお、ステップＳ８においてメイン電源のオフ操作が検出され、ステップＳ９においてメモリカード３が携帯電話機本体１に装着されていないことを検出した場合、本体制御部１１は、前述の警告を発することなく、そのままメイン電源をオフ制御して、当該図５のフローチャートに示すユーザ認証処理を終了する。
【００６３】
〔第２の実施の形態の効果〕
以上の説明から明らかなように、この第２の実施の形態の携帯電話機は、メモリカード３に対して正規のＰＩＮコードのワード数よりも少ないワード数のＰＩＮコード片を登録しておき、当該携帯電話機を使用する際に、このメモリカード３に登録されたＰＩＮコードを補完するワードの入力をユーザに対して求める。そして、ユーザにより入力されたワードで、メモリカード３に登録されているＰＩＮコード片を補完することで、正規のＰＩＮコードと同じワード数のＰＩＮコードを形成し、これを、ＵＩＭカード２に記憶されているＰＩＮコードと照合処理する。
【００６４】
これにより、ユーザは、上記補完するワードを頭で憶えておく必要があるが、少ないワード数であるため、全てのワードを記憶しておく場合と比較して大幅に記憶の負担を軽減することができる。
【００６５】
また、ユーザによりメイン電源のオフ操作がなされた際に、メモリカード３が携帯電話機本体１に装着されていた場合は、メモリカード３を取り外すように、ユーザに対して警告を発することにより、メモリカード３の抜き忘れを防止することができる。このため、次回、当該携帯電話機を使用する際に、ユーザに対してメイン電源投入→メモリカード３の装着の手順で当該携帯電話機を操作させることができる。
【００６６】
また、メイン電源が投入された際にメモリカード３が装着済みであった場合は、ＰＩＮコードの全ワードを手動で入力させることにより、当該携帯電話機のユーザ以外の第三者がＵＩＭカード２に対して不正にアクセスする不都合を防止することができる他、上述の第１の実施の形態と同じ効果を得ることができる。
【００６７】
［第３の実施の形態］
上述の各実施の形態の携帯電話機は、メモリカード３に対してＰＩＮコードをそのままの状態で登録するものである。このため、メモリカード３に対応するリーダライタに装着された場合、パーソナルコンピュータ装置等から容易にＰＩＮコードが読み取られてしまうおそれがある。
【００６８】
この第３の実施の形態の携帯電話機は、ＵＩＭカード２に記憶されている暗号化鍵でＰＩＮコードを暗号化したうえでメモリカード３に登録するものである。これにより、ＵＩＭカード２とメモリカード３とが関連付けされることとなり、メモリカード３に登録されているＰＩＮコードの不正な解読が防止される。
【００６９】
なお、この第３の実施の形態の携帯電話機は、この点のみ上述の各実施の形態の携帯電話機と異なるため、以下、この差異の説明のみ行い、重複説明は省略する。
【００７０】
〔第３の実施の形態の構成〕
図６に、この第３の実施の形態の携帯電話機本体１に装着されるＵＩＭカード２のブロック図を示す。この図６からわかるように、ＵＩＭカード２は、ＵＩＭ記憶部２８に、正規のＰＩＮコードと共に、暗号化鍵が記憶されている。また、このＵＩＭカード２は、それぞれＵＩＭ制御部２９で制御される暗号化部３１及び復号化部３２を有している。
【００７１】
〔ＰＩＮコードの登録動作〕
図７に、メモリカード３に対してＰＩＮコードを登録する際のシーケンス図を示す。まず、メモリカード３に対してＰＩＮコードを登録する場合、ユーザは、メモリカード３を携帯電話機本体１に装着したうえで、操作部２３を操作してＰＩＮコードの登録を指定する。このＰＩＮコードの登録が指定されると、図７からわかるように、操作部２３から本体制御部１１に対してＰＩＮコードの暗号化登録要求（暗号化コード登録要求）がなされる。本体制御部１１は、この暗号化コード登録要求をＵＩＭカードＩ／Ｆ９を介してＵＩＭカード２のＵＩＭ制御部２９に転送する。
【００７２】
ＵＩＭ制御部２９は、この暗号化コード登録要求がなされると、図６に示すＵＩＭ記憶部２８に記憶されているＰＩＮコード及び暗号化鍵を読み出し、これらを暗号化部３１に供給する。暗号化部３１は、ＵＩＭ制御部２９により読み出された上記暗号化鍵に基づいて、上記ＰＩＮコードを暗号化処理することで暗号化されたＰＩＮコード（＝暗号化コード）を形成し、これをＵＩＭカードＩ／Ｆ９を介して本体制御部１１に送信する。
【００７３】
本体制御部１１は、この暗号化コードを受信すると、これをメモリカードＩ／Ｆ１０を介してメモリカード３に書き込み制御する。これにより、メモリカード３に対して、ＵＩＭカード２に記憶された暗号化鍵で暗号化されたＰＩＮコードが登録されることとなる。
【００７４】
〔暗号化されたＰＩＮコードを用いたユーザ認証動作〕
このように暗号化されたうえでメモリカード３に登録されたＰＩＮコードは、図８に示すシーケンスに従って復号化されユーザ認証に用いられる。
【００７５】
具体的には、当該携帯電話機の使用時において、ＵＩＭカード２に対するアクセス要求があると、本体制御部１１は、このアクセス要求をＵＩＭカード２のＵＩＭ制御部２９に転送する。
【００７６】
ＵＩＭ制御部２９は、このアクセス要求がなされると、本体制御部１１に対して暗号化コードの転送要求を行う。本体制御部１１は、この暗号化コードの転送要求がなされると、メモリカードＩ／Ｆ１０を介してメモリカード３に登録されている暗号化コード（上記暗号化されて登録されたＰＩＮコード）を読み出し制御し、これをＵＩＭカードＩ／Ｆ９を介してＵＩＭ制御部２９に転送する。
【００７７】
ＵＩＭ制御部２９は、この転送された暗号化コードを復号化部３２に供給すると共に、ＵＩＭ記憶部２８に記憶されている暗号化鍵を読み出し、これを復号化部３２に供給する。
【００７８】
復号化部３２は、暗号化鍵に基づいて暗号化コードを復号化することで、暗号化される前の状態のＰＩＮコード（＝復号化コード）を再生し、これをＵＩＭ制御部２９に供給する。
【００７９】
ＵＩＭ制御部２９は、この復号化コードが供給されると、ＵＩＭ記憶部２８に記憶されているＰＩＮコードと照合する。そして、上記両者が一致した場合、これはユーザ認証の成功を意味するため、ＵＩＭカード２に対する情報の書き込み或いは情報の読み出しを許可する許可信号を形成し、これをＵＩＭカードＩ／Ｆ９を介して本体制御部１１に供給する。これにより、以後、ユーザの操作に応じてＵＩＭカード２に対して情報の書き込みが行われ、或いはＵＩＭカード２から情報の読み出しが行われることとなる。
【００８０】
これに対して、上記両者が一致しなかった場合、これはユーザ認証の失敗を意味するため、ＵＩＭカード２に対する情報の書き込み或いは情報の読み出しを拒否する拒否信号を形成し、これをＵＩＭカードＩ／Ｆ９を介して本体制御部１１に供給する。これにより、以後、ＵＩＭカード２に対するアクセスが禁止されることとなる。
【００８１】
〔第３の実施の形態の効果〕
以上の説明から明らかなように、この第３の実施の形態の携帯電話機は、ＵＩＭカード２に記憶されている暗号化鍵に基づいてＰＩＮコードを暗号化したうえでメモリカード３に登録する。そして、携帯電話機の使用時には、このメモリカード３に登録されている暗号化されたＰＩＮコードを、ＵＩＭカード２に記憶されている暗号化鍵に基づいて復号化し、これを、ＵＩＭカード２に記憶されている正規のＰＩＮコードと照合することでユーザ認証を行う。
【００８２】
これにより、ＵＩＭカード２とメモリカード３とが関連付けされることとなり、パーソナルコンピュータ装置等により、メモリカード３に登録されているＰＩＮコードが不正に解読される不都合を防止することができる他、上述の各実施の形態の同様の効果を得ることができる。
【００８３】
［第４の実施の形態］
〔第４の実施の形態の携帯電話機の概要〕
この第４の実施の形態の携帯電話機は、上述の第３の実施の形態の携帯電話機のように、暗号化してメモリカード３に登録したＰＩＮコード（暗号化コード）を復号化した際に、この復号化したＰＩＮコードの全ワードのうち、例えば下２ワード等の所定のワードを削除し、この削除したワードを補完するワードの入力をユーザに求め、上記所定のワードを削除したＰＩＮコードを、ユーザにより入力されたワードで補完し、この補完したＰＩＮコードを用いてユーザ認証を行うようにしたものである。
【００８４】
〔第４の実施の形態の携帯電話機のユーザ認証動作〕
図９のフローチャートに、この第４の実施の形態の携帯電話機のユーザ認証動作の流れを示す。この図９のフローチャートは、上述の第３の実施の形態と同様に、ＵＩＭカード２に記憶されている暗号化鍵で暗号化されたＰＩＮコード（暗号化コード）がメモリカード３に登録されたうえで、当該携帯電話機のメイン電源が投入されることでスタートとなる。
【００８５】
まず、ステップＳ２１では、メイン電源が投入されたため、携帯電話機本体１の本体制御部１１が、メモリカードＩ／Ｆ１０と通信することで、当該携帯電話機本体１にメモリカード３が装着されているか否かを判別する。
【００８６】
上述のように当該携帯電話機は、携帯電話機のメイン電源がオフされている場合は、携帯電話機本体１とメモリカード３とを別々に携帯し、当該携帯電話機を使用する際に、メイン電源を投入した後にメモリカード３を携帯電話機本体１に装着してユーザ認証を行って該携帯電話機を使用するようになっている。
【００８７】
このため、メイン電源が投入された際にメモリカード３が、既に装着済みであるということは、現在、第三者により当該携帯電話機が操作されている可能性がある。このため、メイン電源の投入時にメモリカード３が携帯電話機本体１に装着されていた場合には、本体制御部１１は、ステップＳ３１において、メモリカード３に登録されているＰＩＮコードの読み込みは行わず、表示部２４に対してＰＩＮコードの全ワード（例えば、上記「１２３４５６７８」の全８ワード）を入力する入力画面を表示制御することで、ユーザに対して全ワードのＰＩＮコードの入力を促す。これにより、ユーザは、操作部２３を操作してＰＩＮコードの全てのワードを手入力することとなる。
【００８８】
次に、本体制御部１１は、ステップＳ２２において、この全ワードのＰＩＮコードの入力が所定時間内に行われたか否かを判別する。所定時間内に全ワードのＰＩＮコードが入力された場合、本体制御部１１は、この入力されたＰＩＮコードと、ＵＩＭカード２に記憶されている正規のＰＩＮコードとの照合を実行させるべく、この入力されたＰＩＮコードをＵＩＭカード２のＵＩＭ制御部２９に送信する。これにより、ＵＩＭ制御部２９は、後に説明するステップＳ２５において照合処理を行うこととなる。
【００８９】
これに対して、所定時間内に全ワードのＰＩＮコードの入力が行われない場合、現在、当該携帯電話機を操作しているユーザの正当性に疑いが持たれる。このため、本体制御部１１は、ステップＳ３３に処理を移行し、表示部２４を介してエラー表示を行い、当該認証処理を終了する。これにより、ＰＩＮコードの全てのワードを手入力することができないユーザにより、当該携帯電話機が不正に使用される不都合を防止することができる。
【００９０】
一方、上記ステップＳ２１において、メイン電源が投入された際に、本体制御部１１が、当該携帯電話機本体１にメモリカード３が装着されていないと判別した場合、本体制御部１１は、ステップＳ２２において、ユーザに対してメモリカード３の装着を促すメッセージを表示部２４に表示制御する。
【００９１】
このメッセージにより、ユーザは、携帯電話機本体１に対してメモリカード３を装着することとなる。本体制御部１１は、ステップＳ２３において、携帯電話機本体１に対するメモリカード３の装着待ち状態となり、メモリカード３の装着を検出したタイミングで処理をステップＳ２４に移行する。
【００９２】
ステップＳ２４では、本体制御部１１が、メモリカード３に登録されている暗号化コードを読み出し、これをＵＩＭカード２のＵＩＭ制御部２９を介して復号化部３２に転送する。復号化部３２は、ＵＩＭ記憶部２８に記憶されている暗号化鍵に基づいて、上記転送された暗号化コードを復号化し、これをＵＩＭ制御部２９に返送する。ＵＩＭ制御部２９は、この復号化されたＰＩＮコードが、例えば「１２３４５６７８」等の全８ワードのＰＩＮコードであるとすると、このうち、下２ワードを削除して「１２３４５６」等の６ワードのＰＩＮコード片を形成し、本体制御部１１に対して、この削除したワードを補完するワードの入力画面の表示要求を行う。
【００９３】
本体制御部１１は、この表示要求がなされると、表示部２４に対して、上記削除したワードを補完するワードの入力画面を表示制御する。ユーザは、この表示画面を介して、上記削除したワードを補完するワードである「７８」のワードを入力することとなる。
【００９４】
次に、本体制御部１１は、ユーザから入力された上記補完するワードを、ＵＩＭ制御部２９に転送する。ＵＩＭ制御部２９は、このユーザから入力された２つのワードで、上記６ワードのＰＩＮコード片を補完して全８ワードのＰＩＮコードを再生する。そして、ステップＳ５において、この再生したＰＩＮコードと、ＵＩＭ記憶部２９に記憶されている正規のＰＩＮコードとを照合し、ステップＳ２６において、両者が一致したか否かを判別する。
【００９５】
上記ステップＳ２６において、両者が一致しないということは、現在、正当なユーザ以外の第三者により当該携帯電話機が操作されている可能性が高いため、ＵＩＭ制御部２９は、ユーザ認証が失敗したことを示す情報を本体制御部１１に送信する。本体制御部１１は、このユーザ認証が失敗したことを示す情報を受信すると、ステップＳ３３において、表示部２４にエラー表示を行い当該図９のフローチャートに示すユーザ認証処理を終了する。これにより、第三者による当該携帯電話機の不正使用を防止することができる。
【００９６】
これに対して、上記ステップＳ２６で両者の一致を検出した場合、ＵＩＭ制御部２９は、ユーザ認証が成功したことを示す情報を本体制御部１１に送信する。これにより、ユーザは、ＵＩＭカード２に記憶されている通話契約情報や個人情報にアクセスすることが可能となり、本体制御部１１は、ステップＳ２７において、ユーザの操作に応じて、このＵＩＭカード２から情報の読み出し制御を行い、或いはＵＩＭカード２に対して情報の書き込み制御を行うこととなる。
【００９７】
〔警告動作〕
次に、この第４の実施の形態の携帯電話機の場合も、上述の第３の実施の形態の携帯電話機と同様に警告動作を行う。
【００９８】
具体的には、当該実施の形態の携帯電話機は、前述のようにメイン電源がオフされているときには、携帯電話機本体１とメモリカード３とを別々に携帯するようになっている。このため、本体制御部１１は、メイン電源が投入された時点からメイン電源のオフ操作の有無を監視している（ステップＳ２８）。
【００９９】
本体制御部１１は、メイン電源のオフ操作を検出すると、ステップＳ２９において、メモリカード３が装着されているか否かを判別する。そして、メイン電源がオフ操作されたにもかかわらずメモリカード３が装着されている場合、本体制御部１１は、ステップＳ３０において、例えば警告用のＬＥＤの点滅駆動、警告用の音声の発音制御、或いは表示部２４に対する警告メッセージの表示制御等の、ユーザに対してメモリカード３の取り外しを示唆する警告を行う。
【０１００】
この警告を受けたユーザは、メモリカード３を携帯電話機本体１から取り外すこととなる。本体制御部１１は、メモリカード３が携帯電話機本体１から取り外されたことを検出した際に、メイン電源をオフ制御して当該図９のフローチャートに示すユーザ認証処理を終了する。
【０１０１】
なお、ステップＳ２８においてメイン電源のオフ操作が検出され、ステップＳ２９においてメモリカード３が携帯電話機本体１に装着されていないことを検出した場合、本体制御部１１は、前述の警告を発することなく、そのままメイン電源をオフ制御して、当該図９のフローチャートに示すユーザ認証処理を終了する。
【０１０２】
［第４の実施の形態の効果］
ＵＩＭカード２に記憶されている暗号化鍵でＰＩＮコードを暗号化してメモリカード３に登録することで、ＵＩＭカード２とメモリカード３とが関連付けされ、強固なセキュリティを実現できるのであるが、この第４の実施の形態の携帯電話機の場合、メモリカード３から読み出された暗号化コードを復号化し、このうち、所定のワードを削除することで、復号化したＰＩＮコードを不完全なものとし、ユーザにより入力されたワードで、この不完全なＰＩＮコードを補完してＰＩＮコードを再生し、ユーザ認証に用いている。
【０１０３】
このため、ユーザによるワードの入力を必要とする分、さらにセキュリティの向上を図ることができ、ＵＩＭカード２に対する第三者の不正アクセスを、より強固に防止することができる他、上述の各実施の形態と同様の効果を得ることができる。
【０１０４】
［変形例］
上述の各実施の形態の説明では、本発明を携帯電話機に適用することとしたが、本発明は、この他、ＰＨＳ電話機，ＰＤＡ装置，ノート型のパーソナルコンピュータ装置、デスクトップ型のパーソナルコンピュータ装置等の、ＵＩＭカード２及びメモリカード３を装着可能な端末装置であれば、いかなる端末装置にも適用可能である。
【０１０５】
最後に、本発明は、一例として開示した上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【０１０６】
【図１】本発明を適用した第１の実施の形態となる携帯電話機のブロック図である。
【図２】第１の実施の形態の携帯電話機の外観を示す斜視図である。
【図３】第１の実施の形態の携帯電話機に装着されるＵＩＭカードのブロック図である。
【図４】第１の実施の形態の携帯電話機のユーザ認証動作を説明するためのシーケンス図である。
【図５】本発明を適用した第２実施の形態となる携帯電話機のユーザ認証動作を説明するためのフローチャートである。
【図６】本発明を適用した第３実施の形態となる携帯電話機に装着されるＵＩＭカードのブロック図である。
【図７】第３の実施の形態の携帯電話機における、暗号化したＰＩＮコードをメモリカードに登録する流れを説明するためのシーケンス図である。
【図８】第３の実施の形態の携帯電話機のユーザ認証動作を説明するためのシーケンス図である。
【図９】本発明を適用した第４実施の形態となる携帯電話機のユーザ認証動作を説明するためのフローチャートである。
【図１０】従来の携帯電話機のユーザ認証動作を説明するためのシーケンス図である。
【符号の説明】
【０１０７】
１  携帯電話機本体、２  ＵＩＭカード、３  メモリカード、４  アンテナ、５  送受信制御部、６  音声入出力部、７  ユーザインタフェース部、８  内部メモリ、９  ＵＩＭカードインタフェース（ＵＩＭカードＩ／Ｆ）、１０  メモリカードインタフェース（メモリカードＩ／Ｆ）、１１  本体制御部、２１  マイクロホン部、２２  スピーカ部、２３  操作部、２４  表示部、２７  ＵＩＭカードの入出力部、２８  ＵＩＭカードのＵＩＭ記憶部、２９  ＵＩＭカードのＵＩＭ制御部、３１  暗号化部、３２  復号化部
【図１】
2005311520.tif 000003
【図２】
2005311520.tif 000004
【図３】
2005311520.tif 000005
【図４】
2005311520.tif 000006
【図５】
2005311520.tif 000007
【図６】
2005311520.tif 000008
【図７】
2005311520.tif 000009
【図８】
2005311520.tif 000010
【図９】
2005311520.tif 000011
【図１０】
2005311520.tif 000012